(57)【要約】 【課題】  一種の色温度の光源を準備し、１つの色層を設置するだけで、光源より発された光線の色温度に対して調整をするバックライトモジュールを提供する。【解決手段】  導光板、前記導光板の側面に設置された光源、前記導光板の下方に設置された反射シート、および既定の色を有し、前記反射シートの下方に設置され、前記反射シートを前記導光板と前記色層の間に位置させる色層を含み、前記光源より発された光線は、前記導光板によって屈折された後、一部の光線は、前記反射シートを透過し、前記色層より反射され、色光を生じ、前記色光と光源より発された光線は、混合し、前記導光板より射出された光線に望みの色を持たせるバックライトモジュール。【選択図】      図２
2007265992.tif 000002
【特許請求の範囲】
【請求項１】
導光板、
前記導光板の側面に設置された光源、
前記導光板の下方に設置された反射シート、および
既定の色を有し、前記反射シートの下方に設置され、前記反射シートを前記導光板と前記色層の間に位置させる色層を含み、前記光源より発された光線は、前記導光板によって屈折された後、一部の光線は、前記反射シートを透過し、前記色層より反射され、色光を生じ、前記色光と光源より発された光線は、混合し、前記導光板より射出された光線に望みの色を持たせるバックライトモジュール。
【請求項２】
前記色層は、不透明である請求項１に記載のバックライトモジュール。
【請求項３】
前記色層の材料は、紙である請求項２に記載のバックライトモジュール。
【請求項４】
前記色層の材料は、ポリエチレンテレフタラート（ＰＥＴ）である請求項２に記載のバックライトモジュール。
【請求項５】
前記色層は、前記反射シートの背面に形成される請求項１に記載のバックライトモジュール。
【請求項６】
前記反射シートの下方に設置されたハウジングを更に含み、前記色層は、前記ハウジングの内側に形成される請求項１に記載のバックライトモジュール。
【請求項７】
パネル、および
請求項１に記載のバックライトモジュールを含み、前記バックライトモジュールは、前記パネルに接合され、前記パネルの光源となるディスプレイモジュール。
【請求項８】
請求項７に記載のディスプレイモジュール、および
前記ディスプレイモジュールと接合され、前記ディスプレイモジュールに入力を提供し、前記ディスプレイモジュールに画像を表示させる電子装置。
【発明の詳細な説明】
【技術分野】
【０００１】
本発明は、バックライトモジュールに関し、特に、反射シートの後方に設置された色層によって射出された光線の色温度を調整するバックライトモジュールに関するものである。
【背景技術】
【０００２】
図１は、従来のバックライトモジュールを示している。バックライトモジュール１００は、導光板１０、光源２０、反射シート３０と、いくつかの光学シート４０を含む。光源２０は、導光板１０の側面に設置され、反射シート３０は、導光板１０の下方に設置され、光学シート４０は、導光板１０の上方に設置される。光源２０から発された光線は、導光板１０によって屈折して導かれ、反射シート３０によって反射された後、光学シート４０によって上方に向けて射出される。上述の構造では、仮に、バックライトモジュール１００が射出する光線の色温度に対して異なる要求がある場合、例えば、Ａ社は、寒色系に偏向した光線を求め、Ｂ社は、暖色系に偏向した光線を求めた場合、異なる顧客の需要に合わせて、多種の色温度を有する光源を提供、または製造しなければならない。よって、バックライトモジュールの製造コストと材料管理の煩雑度を増加させる。
【発明の開示】
【発明が解決しようとする課題】
【０００３】
これに鑑みて、本発明の目的は、一種の色温度の光源を準備し、１つの色層を設置するだけで、光源より発された光線の色温度に対して調整をするバックライトモジュールを提供する。
【課題を解決するための手段】
【０００４】
本発明のバックライトモジュールの好ましい実施例は、導光板、光源、反射シートと、色層を含む。光源は、導光板の側面に設置され、反射シートは、導光板の下方に設置される。色層は、既定の色を有し、反射シートの下方に設置され、反射シートを導光板と色層の間に位置させる。光源より発された光線は、導光板によって屈折された後、一部の光線は、反射シートを透過し、色層より反射され、色光を生じる。発生された色光と光源より発された光線は、混合し、導光板より射出された光線に望みの色を持たせる。
【０００５】
上述の好ましい実施例では、前記色層は、不透明であることができる。色層の材料は、紙、またはポリエチレンテレフタラート（ＰＥＴ）からなることができる。
【０００６】
上述の好ましい実施例では、色層は、反射シートの背面に形成することができる。
【０００７】
上述の好ましい実施例は、反射シートの下方に設置されたハウジングを更に含むことができ、色層は、ハウジングの内側に形成されることができる。色層は、プリント、またはスパッタリングの方式によって前記ハウジングの内側に形成されることができる。
【発明の効果】
【０００８】
本発明の電子装置及びそのバックライトモジュールとディスプレイモジュールによれば、光線の色温度を調整する効果を達成することができる。また、異なる要求に対しては、異なる色で形成されたハウジングを準備するだけでよく、各種の異なる色温度の光線を有する光源を準備、または製造する必要がない。よって、バックライトモジュールの製造コストと材料管理の煩雑度を減少することができる。
【発明を実施するための最良の形態】
【０００９】
本発明についての目的、特徴、長所が一層明確に理解されるよう、以下に実施形態を例示し、図面を参照にしながら、詳細に説明する。
【実施例】
【００１０】
図２は、本発明の好ましい実施例の概略図である。図３は、図２のＡ部分の拡大図である。本発明のバックライトモジュール２００は、導光板１０、光源２０、反射シート３０と、複数の光学シート４０と、色層５０を含む。光源２０は、導光板１０の側面に設置され、反射シート３０は、導光板１０の下方に設置され、光学シート４０は、導光板１０の上方に設置される。色層５０は、既定の色を有し、且つ、反射シート３０の下方に設置される。
【００１１】
反射シートの材料がほとんど白色のポリエチレンテレフタラート（ＰＥＴ）を用いることから、光源２０より発された光線は、導光板１０によって屈折された後、大部分の光線（９０〜９５％）は、図３の矢印ａに示すように、反射シート３０で反射され、少部分の光線（約５〜１０％）は、矢印ｂに示すように、反射シート３０を透過する。反射シート３０を透過した光線ｂは、色層５０にまで照射し、色層５０により反射される。色層５０により反射された光線は、既定の色の色光を有する。この色光部分は、反射シート３０を透過した後、反射シート３０より反射された光線ａと混合し、よって、導光板１０より射出された光学シート４０の光線は、望みの色光に調整される。
【００１２】
色層５０は、不透明の材料からなり、背景の光線が透過し、光線の色に影響を及ぼすのを防ぐことができる。色層５０の材料は、紙、またはポリエチレンテレフタラート（ＰＥＴ）などからなることができる。よって、異なる色温度の光線に対する要求は、色層を換えるだけでよく、各種の異なる色温度の光線を有する光源を準備、または製造する必要がない。
【００１３】
図４は、本発明のバックライトモジュールのもう１つの実施例である。バックライトモジュール３００では、色層５０は、プリント、またはスパッタリングの方式によって反射シート３０の背面に形成される。反射シート３０を透過した光線は、反射シート３０の背面に形成された色層５０より反射されることができ、よって、これも光線の色温度を調整する効果を達成することができる。異なる要求に対しては、異なる色で形成された反射シート３０を準備するだけでよく、各種の異なる色温度の光線を有する光源を準備、または製造する必要がない。
【００１４】
図５は、本発明のバックライトモジュールのもう１つの実施例である。色層５０は、プリント、またはスパッタリングの方式によってバックライトモジュール４００のハウジング６０の内側に形成され、反射シート３０に向いて形成される。よって、これも光線の色温度を調整する効果を達成することができる。異なる要求に対しては、異なる色で形成されたハウジング６０を準備するだけでよく、各種の異なる色温度の光線を有する光源を準備、または製造する必要がない。
【００１５】
本発明のバックライトモジュールは、ディスプレイモジュールの中に応用することができる。図６に示すように、本発明の上述の実施例のバックライトモジュール（例えば、バックライトモジュール２００）は、パネル５００の光源のために、パネル５００に接合することができ、ディスプレイモジュール６００を構成する。
【００１６】
図７に示すように、上述のディスプレイモジュール６００は、電子装置８００の中に応用することができる。電子装置８００では、ディスプレイモジュール６００は、入力ユニット７００に接続され、入力ユニット７００は、ディスプレイモジュール６００に入力を提供し、ディスプレイモジュール６００に画像を表示させる。
【００１７】
上述の電子装置８００は、携帯電話、デジタルカメラ、ＰＤＡ、ノート型パソコン、デスクトップコンピュータ、テレビ、カーディスプレイ、またはポータブルＤＶＤプレーヤーであることができる。
【００１８】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００１９】
【図１】バックライトモジュールの概略図である。
【図２】本発明のバックライトモジュールの実施例の概略図である。
【図３】図２のＡ部分の拡大図である。
【図４】本発明のバックライトモジュールのもう１つの実施例の概略図である。
【図５】本発明のバックライトモジュールのもう１つの実施例の概略図である。
【図６】本発明のバックライトモジュールのディスプレイモジュールに用いる概略図である。
【図７】本発明のディスプレイモジュールの電子装置に用いる概略図である。
【符号の説明】
【００２０】
１０  導光板
２０  光源
３０  反射シート
４０  光学シート
５０  色層
６０  ハウジング
１００、２００、３００、４００  バックライトモジュール
５００  ディスプレイパネル
６００  ディスプレイモジュール
７００  入力ユニット
８００  電子装置
【図１】
2007265992.tif 000003
【図２】
2007265992.tif 000004
【図３】
2007265992.tif 000005
【図４】
2007265992.tif 000006
【図５】
2007265992.tif 000007
【図６】
2007265992.tif 000008
【図７】
2007265992.tif 000009